Podtech/llm-jp-corpus-v4-ja_patent huggingface dataset:
(57)【要約】      （修正有）【課題】身体の負傷部位等をシャワー、入浴、水泳、炊事等の際傷口、治療部位を湯や水から傷口が濡れるのを防止しまた手術痕等を目隠しする傷口水漏等防止カバーを提供する。【解決手段】身体皮膚の傷部部位を手や足を洗う又はシャワーや入浴時の際に傷部を水濡れや雑菌感染防止また手術痕等を目隠しする色付きポリエチレン製円筒形で上部と下部をゴムを内蔵した伸縮可で形成した部位に合致した大小からなることを特徴とする。【選択図】図１
0003183858.tif 000002
【実用新案登録請求の範囲】
身体の傷部等の手足洗い、シャワー、入浴時の水濡れまた手術痕等を目隠しするポリエチレン製カバーで覆う本体図１の傷口水濡等防止カバー
【考案の詳細な説明】
【技術分野】
【０００１】  本考案は、傷口水濡等防止カバーに関するものである。
【背景技術】
【０００２】  身体の負傷部位等をシャワー、入浴、水泳、炊事等の際傷口、治療部位を湯や水から傷口が濡れるのを防止しまた手術痕等を目隠しするカバーである。
【考案の概要】
【考案が解決しようとする課題】
【０００３】  身体の負傷（含む、動物）、火傷、皮膚病（特に手、足、肘、膝部、水虫、アトピー）等でシャワー、入浴、水泳、炊事等の際傷口、治療部位を水や湯から傷口等を濡らさないように苦労していることから部位をポリエチレン製カバーで覆い傷口等を濡らさないようにするのである。【０００４】  また夏季、温泉、海水浴等で身体の手足や特に腹部等の大きな手術痕や入れ墨（含む、剥離手術痕）等を目隠しするのである。
【課題が解決するための手段】
身体の傷部等の手足洗い、シャワー、入浴時の水濡れまた手術痕等を目隠しするポリエチレン製カバーで覆う本体図１の傷口水濡等防止カバー
【考案の効果】
【０００５】  身体の負傷、火傷、皮膚病（水虫等）、アトピー等で炊事、シャワー、入浴、水泳等の際傷口や治療部位を水やシャワー等の湯から傷口等が濡れるのを防止し、また他人から目隠しし入れ墨等を色付きポリエチレン製カバーで覆い目隠しするのである。
【０００６】  また温泉や海水浴で身体の手足や特に腹部等の大きな手術痕や入れ墨、その剥離手術痕を色付きポリエチレン製カバーで覆い目隠しするのである。
【図面の簡単な説明】
【０００７】
【図１】  本考案に係るポリエチレン製カバーの活用部位である。
【図２】  本考案に係るポリエチレン製カバーの手首装着図である。
【図３】  本考案に係るポリエチレン製カバーの足首装着図である。
【図４】  本考案に係るポリエチレン製カバーの動物装着図である。
【図５】  本考案に係るポリエチレン製カバー展開面である。
【図６】  本考案に係るポリエチレン製カバーの分解図である。
【符号の説明】
【０００８】  １  …  首部カバー
２  …  胸部バー
３  …  肘部カバー
４  …  手首カバー
５  …  腹部カバー
６  …  膝カバー
７  …  足首カバー
８  …  背中と腹部カバー
９  …  足カバー
１０  …  手首カバー
１１  …  足先カバー
１２  …  動物カバー
１３  …  カバー展開図
１４  …  カバー両端部
１５  …  カバー断面図
【考案を実施するための形態】
【０００９】  本考案は、図１は各部位に負傷や手術痕覆い等その用途目的により着装するものであり１は首部２は胸部３は肘部４は手首５は腹部６は膝部７は足首部８は肩背中９は足部である。各部位により形態と大中小（Ｌ・Ｍ・Ｓ・子ども用・小大動物用）とする。自宅の風呂では無色透明とし屋外や浴場、海水浴場等ではアザや手術痕等を目に触れないように肌色や赤色、黒色等また子どもやペット用には可愛い着色をする。図２の１０と図３の１１で示すように指、手の平や甲、指の間等を負傷等した時には入浴や家事等が安易に出来るように手袋型とし足部も靴下型とする。他の胸、肩、肘、腹、膝、肩、足部はその体型に合致した形体のポリエチレン製カバーとする。図４の１２はペット用で散歩や身体を洗う時に使用する。また動物園等の大きなキリン等の動物用の傷口水濡れ防止カバーにも活用する。図５の１３で示すようにポリエチレン製カバー袋形式とし、両サイドには両端を水が浸入しないように幅を広くした肌に密着しゴムが内蔵した伸縮する浸水防止形体とする。図６は断面図であり１５はポリエチレン製カバーであり１６は空洞でありその用途に従い大きさは異なり空洞部に身体の必要な部位を入れ込み着装するのである。
以下扱い方について説明する。身体の負傷、火傷、皮膚病（水虫等）、アトピー等で炊事、シャワー、入浴、水泳等の際傷口や治療部位を水やシャワー等の湯から傷口等が濡れるのを防止し、また他人から目隠しし入れ墨等を色付きポリエチレン製カバーで覆い目隠しするのである。また猫や犬等ペット類や動物園等の大きな動物の負傷とかの場合もその手足や身体を洗う際にこのポリエチレン製カバーで覆い傷口等を被せ水に傷口が濡れないようにするのである。
【図１】
0003183858.tif 000003
【図２】
0003183858.tif 000004
【図３】
0003183858.tif 000005
【図４】
0003183858.tif 000006
【図５】
0003183858.tif 000007
【図６】
0003183858.tif 000008
【手続補正書】
【提出日】平成25年3月5日(2013.3.5)
【手続補正１】
【補正対象書類名】実用新案登録請求の範囲
【補正対象項目名】全文
【補正方法】変更
【補正の内容】
【実用新案登録請求の範囲】
【請求項１】
身体皮膚の傷部部位を手や足を洗う又はシャワーや入浴時の際に傷部を水濡れや雑菌感染防止また手術痕等を目隠しする色付きポリエチレン製円筒形で上部と下部をゴムを内蔵した伸縮可で形成した部位に合致した大小からなる傷口水濡等防止カバー
(57)【要約】      （修正有）【課題】本体部分に付属部材の着脱自在な留め具を設け、用途に応じて付属部材の組み換えが自在な着脱式鞄を提供する。【解決手段】鞄の本体１は背中に背負って用いる鞄を示している。鞄の後方面側のほぼ中央部の４箇所に留め具（オス）２を設けて、この４箇所の留め具（オス）２で囲われた部分は正方形を形成する、従ってこの４個の留め具（オス）２のそれぞれの縦と横の間隔は全て同一となる。前記の留め具（オス）２に対応して、例えば付属部材である小物入れ４に２個の留め具（メス）を係合させている。【選択図】図１
0003183886.tif 000002
【実用新案登録請求の範囲】
【請求項１】
鞄であって、該鞄の本体の後方面に付属部材を着脱自在に装着することが可能な留め具を設け少なくとも且つ、縦横の間隔が等しくなるような位置に４個の留め具を設けたことを特徴とする鞄。
【考案の詳細な説明】
【技術分野】
【０００１】
本考案は用途に応じ鞄の本体に小物入れやコインケース、肩掛け用ベルトを自由に着脱して組み換えが自在な鞄に関する。
【背景技術】
【０００２】
従来は鞄の本体とこの本体に一体的に設けられた小物入れ等の鞄が知られる。
【０００３】
【考案の概要】
【考案が解決しようとする課題】
【０００４】
収納物の多少に応じて同じて鞄の数を増減しなければならないという不便さがあった。
【課題を解決するための手段】
【０００５】
本考案は請求項１記載のとおり、鞄であって、該鞄の本体に付属部材を着脱自在に装着することが可能な留め具を設け少なくとも且つ、縦横の間隔が等しくなる位置に４個の留め具を設けたことを特徴とする鞄である。
【考案の効果】
【０００６】
基本になる鞄に取り外し用留め具を取り付け種類の異なる着脱可能な別の鞄や小物入れ、肩掛け用ベルト等を用途に合わせて自在に交換できる多機能鞄を提供することを課題としている。本物品で使用する留め具は、組み合わせ式のスナップ釦であり、簡単に留めつけができる。
【０００７】
取り外しに関して、通常のスナップ式釦は引っ張れば外れる取り外しも簡単なものであるが、本考案で使用する釦は引っ張るだけでは取り外せない特殊な構造であるため、取り付けた別の鞄の落下を防止できる。釦はワンタッチで取り外し可能な構造になっているため手軽に使用できる。
【図面の簡単な説明】
【０００８】
【図１】本体の鞄に組み換え用の付属部材を装着した図。
【図２】本体の鞄に装着する組み換え用の付属部材の例であり(１)は小物入れ、(２)     はコインケースを示す。
【図３】本体の鞄を後方面から見た図。
【図４】本考案の鞄を前方側面から見た図。
【図５】本考案の鞄から取り外した肩掛け用ベルトに組み換え用付属部材を装着した 図。
【図６】肩掛けようベルトの裏側を示す図。
【考案を実施するための形態】
【０００９】
以下本考案に基づいて説明する。
【実施例】
【００１０】
以下、図面に基づいて実施例の説明をする。
図１は本考案の鞄に付属部材を装着し、後方面から見た図を示している。後方面とは、背中に背負った場合に、背中と反対側となる鞄の面を指している。
・  この実施例で鞄の本体１は背中に背負って用いる鞄を示している。鞄の後方面側のほぼ中央部の４箇所に留め具（オス）２を設けて、この４箇所の留め具（オス）２で囲われた部分は正方形を形成する、従ってこの４個の留め具（オス）２のそれぞれの縦と横の間隔は全て同一となる。
この例では前記の留め具（オス）２に対応して、例えば付属部材である小物入れ４に２個の留め具（メス）３を係合させている。従って図では２個の留め具（オス）２と留め具（メス）３によって小物入れ４を横方向に取り付けた状態となっている。
図示した以外鞄の縦方向の留め具（オス）２と小物入れ４の２個の留め具（メス）３を係合すると小物入れ４は縦方向に個着される。コインケース５の場合は中心に設けた１個の留め具（メス）３を留め具（オス）２に係合させている。尚、付属部材としては小物入れ４やコインケース５等多数の形状、構造のものであってもよい。
図２は本考案の鞄に装着する付属部材を示す。
・  この実施例では、長方形の小物入れと円形のコインケースを示している。
小物入れの裏側２箇所に設けた留め具（メス）３は、図３に示した縦横左右の留め具（オス）２と同一間隔であり、縦横、自在に取り付ける事が出来る。    
図３は本考案の鞄本体を後方面から見た図。
・  この実施例で鞄の本体１は鞄後方面に付属部材を個着する為の留め具（オス）２を縦横左右、同じ間隔に取り付けてあり、付属部材の小物入れ４の２箇所に取り付られた留め具（メス）３と係合させている。
図４は本考案の鞄を前方面側から見た図を示している。前方面とは、背中に背負った場合に、背中側となる鞄の面を指している。
図５は本考案の鞄から取り外した肩掛け用ベルト６に着脱自在な留め具で組み換え用付属部材を装着した図。
図６は本考案の鞄から取り外した肩掛け用ベルト６を裏面から見た図を示している。
【産業上の利用可能性】
【００１１】
鞄業界において活用できる考案である。
【符号の説明】
【００１２】
１鞄の本体
２留め具(オス)
２−１留め具（オス）
２−２留め具（オス）
２−３留め具（オス）
３留め具(メス)
３−１留め具（メス）
３−２留め具（メス）
４小物入れ
５コインケース
６肩掛け用ベルト
７後方面
８前方面
【図１】
0003183886.tif 000003
【図２】
0003183886.tif 000004
【図３】
0003183886.tif 000005
【図４】
0003183886.tif 000006
【図５】
0003183886.tif 000007
【図６】
0003183886.tif 000008
(57)【要約】      （修正有）【課題】道具を使わず、右利き、左利きを問わずに左右から簡単に開封を可能にするのし袋を提供する。【解決の手段】開封のための切り口として、開封面にミシン目を設け、開封時には左右どちらからも開封を可能にしたことを特徴とする。ミシン目は上下２段に設け簡単に開封可能とし、さらにのり付け部はミシン目の下方となる構造とした。【選択図】図３
0003183875.tif 000002
【実用新案登録請求の範囲】
【請求項１】
開封のための切り口として開封面にミシン目を設け、開封時には左右どちらからでも開封可能なのし袋
【考案の詳細な説明】
【技術分野】
【０００１】本実用新案は、のし袋の面を利用しての開封に関するものである【０００２】従来は、はさみやナイフ等の道具を利用して開封をしていた
【先行技術文献】
【０００３】
【実用新案が解決しようとする課題】
【０００４】結婚式等において、大量の祝儀袋の処理ははさみやナイフなど道具を使用して対応していた。大量の処理に道具と処理人数があわずやりくりに苦労していた。また、右利き、左利きなどへの道具の対処も必要だった。
【問題を解決する手段】
【０００５】従来の辺を利用して道具を利用しての開封ではなく、開封のための切り口として面を利用しミシン目を設け、開封時は左右どちらからも開封可能にしたのし袋です
【図面の簡単な説明】
【０００６】
【図１】は、祝儀納入前の表
【図２】は、祝儀納入前の裏
【図３】は、祝儀納入時の裏
【図４】は、開封時の裏  を表しています。
【実用新案を実施するための形態】
【０００７】実用新案を実施するための構造は、面を利用して開封のための切り口としてミシン目を設けたのし袋で、ＡからＢ、ＢからＡと矢印の方向へ引いて開封する。
作用としては、右利き、左利きの関係なく開封のための切り口としてのミシン目に沿って開封する。また、祝儀納入時には、のりしろＣの上の使用時までくっつかないようにしてある油紙Ｄをはがしてのりづけをして使用する。
【符号の説明】
【０００８】Ａ  左からのあけ口    Ｂ  右からのあけ口    Ｃ  のりしろ
Ｄ  のりしろが使用時までくっつかないようにしてある油紙
【図１】
0003183875.tif 000003
【図２】
0003183875.tif 000004
【図３】
0003183875.tif 000005
【図４】
0003183875.tif 000006
(57)【要約】      （修正有）【課題】取り付け、取り外しの際の静電気によるまとわりつきやホコリの付着がない、消臭・制菌・吸水・速乾の枕カバーを提供する。【解決手段】静電気の発生を防ぎまとわりつきやホコリの付着がなくなる生地上の中心部に消臭・制菌・吸水・速乾の機能を有する生地をのせ縫製を施したものを枕カバーとする。【選択図】図２
0003183877.tif 000002
【実用新案登録請求の範囲】
【請求項１】
本考案は、静電気の発生を防ぎまとわりつきやホコリの付着がなくなる生地上の中心部へ消臭・制菌・吸水・速乾の機能生地をのせ縫製を施したことを特徴とする枕に巻くだけで使用方法が容易な消臭・制菌・吸水・速乾機能のカバー。
【考案の詳細な説明】
【技術分野】
【０００１】本考案は、枕への取り付け、取り外しの際、静電気の発生を防ぐ生地を用いた枕カバーに関するものである。枕に巻くだけで取り付け、取り外しが簡易なため洗濯が容易で、枕への取り付け、取り外しの際、静電気の発生を防ぐため、まとわりつきやホコリの付着がなく清潔であるため使用者に喜ばれる。カバーの中心部に消臭・制菌・吸水・速乾生地を施せば枕の使用時、更に快適である。
【背景技術】
【０００２】季節により枕カバーの取り付け、取り外しの際、静電気の発生により、まとわりつきやホコリの付着が生ずる。まとわりつきやホコリの付着がなく、枕に巻くだけの使用が容易な消臭・制菌・吸水・速乾の枕カバーは多くのユーザーに喜ばれる。
【考案の概要】
【考案が解決しようとする課題】
【０００３】上記問題を解決する枕カバーを提供する事である。
【課題を解決するための手段】
【０００４】枕への取り付け、取り外しの際、静電気の発生を防ぎ、まとわりつきやホコリの付着がない生地を用いた枕カバーを考案することである。
【考案の効果】
【０００５】本考案によって課題を十分に解決している。
【図面の簡単な説明】
【０００６】
【図１】静電気の発生を防ぎまとわりつきやホコリの付着がなくなる生地上の中心部へ消臭・制菌・吸水・速乾の生地をのせて縫製を施した枕カバー本体の正面図である。
【図２】図１の枕カバー本体を枕に装着した図
【図３】図１の断面図  である。
【考案を実施するための形態】
【０００７】枕カバー。
【実施例】
【０００８】図１は、枕カバー本体の形状を示す図である。静電気の発生を防ぎまとわりつきやホコリの付着がなくなる生地上の中心部へ消臭・制菌・吸水・速乾の生地をのせて縫製を施してある。
図２は、枕カバー本体図１を枕３へ装着した図である。
図３は、図１の断面図である。
【産業上の利用可能性】
【０００９】季節により枕カバーの取り付け、取り外しの際、静電気の発生により、まとわりつきやホコリの付着が生ずる。静電気の発生を防ぎ、まとわりつきやホコリの付着がなく、枕に巻くだけの使用が容易な消臭・制菌・吸水・速乾の枕カバーは、多くのユーザーの悩みを解決する。
【符号の説明】
【００１０】１静電気の発生を抑える生地
２消臭・制菌・吸水・速乾の生地
３枕本体
４静電気の発生を防ぐ生地の断面図
５消臭・制菌・吸水・速乾の生地の断面図
【図１】
0003183877.tif 000003
【図２】
0003183877.tif 000004
【図３】
0003183877.tif 000005
(57)【要約】      （修正有）【課題】大型外形寸法の大電流定格容量の締付け形ヒューズをその電流容量をそのままで、小型化と軽量化できるようにしたヒューズ導電ブロック体を提供する。【解決手段】大型外形寸法の締付けヒューズを小型外形寸法のヒューズに置き換えができるように、段差を有する良導体金属からなる矩形体の第一段差に配線用取付穴、第二段差に所定の間隔で位置決めされた複数個のタッピング穴を設けてなり、第一段差の配線用取付穴にはスプリングワッシャー４０、ボルト５０及びロックナット６０を、第二段差の複数個のタッピング穴にはワッシャー３０及び締付けねじ２０を具備した導電ブロック体１０に、小型外形寸法の締付け形ヒューズの電流容量と等価になるように複数個並列接続することで小型化と軽量化を図った。【選択図】図１
0003183872.tif 000002
【実用新案登録請求の範囲】
【請求項１】
大型外形寸法の締付け形ヒューズを小型外形寸法の締付け形ヒューズに置き換えができるように、段差を有する良導体金属からなる矩形体の第一段差に配電用取付穴、第二段差に所定の間隔で位置決めされた複数個のタッピング穴を設けてなり、第一段差の配電用取付穴にはスプリングワッシャー、ボルト及びロックナットを、第二段差の複数個のタッピング穴にはワッシャー及び締付けねじを具備して構成のヒューズ導電ブロック体。
【考案の詳細な説明】
【技術分野】
【０００１】本考案は、大型寸法の大電流容量の締付け形ヒューズを大電流容量を変更せずに小型寸法ヒューズに置き換え可能にしたヒューズ導電ブロック体に関するものである。
【背景技術】
【０００２】近年、分散化電源装置の普及により過電流保護のために使用される絶縁筒の両端に締付け端子を有するヒューズが多用されているが、一般的には定格電流値が２００アンペアのものまではその外形寸法が小型であるが、それ以上の定格値になるとヒューズの外形寸法が大型化し、取付けスペースの確保等が必要となる。又、これに伴いヒューズ一個当たりの重量も大幅に増加するとともにこれを接続するヒューズホルダも考慮しなければならず、重量制限を受ける機器では設計上かなり困難な問題となる。【０００３】従来品の具体例としては図４のように、定格電流値が４００アンペアの定格電流値の締付け形ヒューズＦは、耐熱性絶縁材からなるベース（イ）上に固定された導電金属の台座（ロ）と刃受け（ハ）に締付け形ヒューズの締付け端子Ｆ１，Ｆ２を挟み、ボルト（ニ）とロックナット（ホ）で締付け固定し、電線（ヘ）を接続して大電流を通電いるのが現状である。【０００４】このため、上述の締付け形ヒューズを使用する場合には必ずといってくらいこれを保持するヒューズホルダが必要となり、ヒューズとヒューズホルダを合体すると取付け面積が拡大し、設置スペースの確保が困難になるという問題がある。【０００５】又、ヒューズホルダは、機械加工工程の複雑した部材を用い、製作するにも手間が掛かることからコスト高になることやヒューズとヒューズホルダとの合体により総重量的にもかなり重くなるという問題がある。
【考案の概要】
【考案が解決しようとする課題】
【０００６】本発明は、上記の問題点に鑑みなされたもので、例えば、大型外形寸法の大電流定格値（４００アンペア）一個の締付け形ヒューズと同じ定格電流値を有するような等価手段として外形寸法的にはワンランク下の寸法の２００アンペアのヒューズを二個並列にすることで、等価にでき、かつ、小形軽量化を図ることを目的とした導電ブロック体を提供する。
【課題を解決するための手段】
【０００７】上記の目的を達成するために本考案においては、大型外形寸法のの締付け形ヒューズに置き換えができるように、段差を有する良導体金属からなる矩形体の第一段差に配電用取付穴、第二段差に所定の間隔に位置決めされた複数個のタッピング穴を設けた導電ブロック体から構成される。
なお、本考案では大電流定格値の１／２の電流容量を有するワンランク下の小型寸法の締付け形ヒューズを並列接続することとしている。
外形寸法のワンランク下の寸法の締付け形ヒューズは前記第二段差のタッピング穴部に載置され、ねじ及びワッシャーにより締付け固定される。
また、矩形体の第一段差の配電用取付穴にはスプリングワッシャー、ボルト及びロックナットが具備されている。
これにより寸法的及び重量的にも大型の締付け形ヒューズに比べ有利な条件となる。
【考案の効果】
【０００８】上述したように本考案の導電ブロック体は、大型の締付けヒューズに比べ、取付け面積を大幅に縮小できるとともに小型の締付けヒューズに置換することで小型化、軽量化、コスト低下を図ることができる。
【図面の簡単な説明】
【０００９】
【図１】本考案のヒューズ導電ブロック体の構成を示す斜視図
【図２】本考案品に小型の締付け形ヒューズを取付けた状態の斜視図
【図３】本考案品に小型の締付け形ヒューズを取付けた状態の別な斜視図
【図４】従来の大型の締付け形ヒューズの取付けた状態を示す斜視図
【考案を実施するための形態】
【００１０】以下、本考案の実施形態を図１から図３に基づき説明する。
図１において、１０は矩形状の段差付導電ブロック体、２０は締付けねじ３０はワッシャー、４０はスプリングワッシャー、５０はボルト、６０はロックナットを示す。
【００１１】矩形状の段差付導電ブロック体１０は、アルミニウム又はその合金の材質からなり、これを切削加工と穴明け及びタッピング穴が施されて製作されている。
具体的には矩形状の段差付導電ブロック体１０の第一段差にはその中央にボルト５０とスプリングワッシャー４０を差し込む小穴１０ｃと第二段差には締付け形ヒューズの端子を締付けねじ２０及びワッシャー３０で固定するタップ穴１０ａ，１０ｂを施してある。
【００１２】図２は上述の第二段差の表面に締付け形ヒューズの端子部を載置し、締付けねじ２０とワッシャー３０で固定した斜視図である。
この図では二個の小型寸法の締付けヒューズを並列に接続した状態を示している。この状態で、例えば、一個当たりの定格電流値が２００アンペアとした場合、二個並列にあることからほぼ４００アンペアの電流容量となることから、定格電流値が４００アンペアのものと等価となる。
これらを比較すると並列接続のものは、取付けスペース、総重量等でメリットがあり、スペースのないところや重量制限のあるところでは有利となる。また、通電時にヒューズからの発生する熱の放熱効果も単位当たりで換算するとほぼ等価で分散できることから温度上昇も抑制できる。
【００１３】図３は、さらに電流容量をアップした時の対応を考慮した場合の別な接続方法を示したもので、前図２の二個並列（４００アンペア）をさらに並列にし８００アンペアにしたものである。
【００１４】以上のようなヒューズ導電ブロック体は、左右一対の並列接続となるため、二個以上必要となるが、使用する部材も少なく、製作工程も容易であることからコスト的にも低廉なものとなる。
【符号の説明】
【００１５】  １０  段差付き導電ブロック体
２０  締付けねじ
３０  ワッシャー
４０  スプリングワッシャー
５０  ボルト
６０  ロックナット
【図１】
0003183872.tif 000003
【図２】
0003183872.tif 000004
【図３】
0003183872.tif 000005
【図４】
0003183872.tif 000006
(57)【要約】      （修正有）【課題】布張りであるため汚れやすいファブリックパネルにおいて、清掃面での手入れを簡便にするファブリックパネルを提供する。【解決手段】木製の型枠１の上部に固定した板２の表面を覆うファブリックパネルの布４に、ラミネート加工あるいは塩化ビニル加工の技術により撥水防汚加工された布を用いる。【選択図】図１
0003183871.tif 000002
【実用新案登録請求の範囲】
【請求項１】
木製の型枠を布で覆うファブリックパネルにおいて、前記布部分をラミネート加工あるいは塩化ビニル加工の技術により撥水防汚加工された布を用いることにより、清掃簡便にしたファブリックパネル。
【考案の詳細な説明】
【技術分野】
【０００１】  本考案は、ファブリックパネルに関する。
【背景技術】
【０００２】  従来のファブリックパネルは、木製の型枠の上部に固定した板の表面を、綿製やポリエステル製等の布で覆った形状をしている。
【考案の概要】
【考案が解決しようとする課題】
【０００３】  しかしながら、綿製やポリエステル製等の布で覆った従来のファブリックパネルは、布が埃や空気中の油等の汚れを吸着しやすいため、頻繁な清掃を必要とし、また、清掃自体が困難であるという欠点があった。
【課題を解決するための手段】
【０００４】  本考案は、ファブリックパネルを製造する過程で、木製の型枠の上部に固定した板の表面を覆う布として、ラミネート加工あるいは塩化ビニル加工の技術により撥水防汚加工された布を用いる。布自体に撥水防汚機能を持たせることにより、パネル表面が汚れにくくなり、かつ、汚れが付着しても水拭き等の簡便な清掃が可能になる。よって、上記課題を解決するものである。
【考案の効果】
【０００５】  本考案にかかる清掃簡便型ファブリックパネルは、一般的に広く利用されているラミネート加工あるいは塩化ビニル加工された布を用いることから、容易に製造することができる。また、ファブリックパネル自体の形状や重量は従来と異ならないため、ファブリックパネルが持つ装飾性には何ら支障を与えることはない。従来のファブリックパネルが持つ装飾性の機能を保持しつつ、それに加えて清掃面での手入れが簡便になることから、実用性に優れたものである。
【図面の簡単な説明】
【０００６】
【図１】本考案に係る清掃簡便型ファブリックパネルの製造における第一工程図である。
【図２】本考案に係る清掃簡便型ファブリックパネルの製造における第二工程図である。
【図３】本考案に係る清掃簡便型ファブリックパネルの完成図である。
【考案を実施するための形態】
【０００７】  図１に示すように、木製の型枠１の上部に、板２を乗せて固定する。なお、固定には接着剤３を用いる。次に、前記型枠１に板２を固定したものの上部に、ラミネート加工あるいは塩化ビニル加工の技術により撥水防汚加工された布４を張る。
【０００８】  図２で示すように、図１の工程の製作物について、さらに布４を固定するため、型枠１の裏側からタッカー５の手法で固定する。
【０００９】  図３は本考案に係る清掃簡便型ファブリックパネルの完成図である。パネルがラミネート加工あるいは塩化ビニル加工の技術により撥水防汚加工された布４で覆われることにより、汚れにくく、かつ、汚れが付着しても水拭き等の簡便な清掃が可能になる。
【符号の説明】
【００１０】１  型枠
２  板
３  接着剤
４  ラミネート加工あるいは塩化ビニル加工の技術により撥水防汚加工された布
５  タッカー
【図１】
0003183871.tif 000003
【図２】
0003183871.tif 000004
【図３】
0003183871.tif 000005
(57)【要約】      （修正有）【課題】上着・ズボンに各４本のひもを取り付け、重度知的障害者の脱衣行為防止をする介護用衣服を提供する。【解決手段】上着１の下端（すそ部分）とズボン２の上端（ベルト部分）の前後左右にひもを取り付け、上下を結ぶことで脱衣行為を防止する。また、ひもをほどくことで排泄が容易である。利用者の希望に応じて他の衣服にひもを取り付け、組み合わせを変えることもできる。【選択図】図１
0003183861.tif 000002
【実用新案登録請求の範囲】
【請求項１】
上着の下端（すそ部分）とズボンの上端（ベルト部分）に、前・後・左・右各１本のひもを取り付け、上下合計４対のひもを結ぶことによって重度知的障害者の脱衣行為を防止し、その一方で▲１▼前部のひもをほどくことで排尿を容易にし、▲２▼後部のひもをほどくことで排便を可能にし、▲３▼ひもを取り付けた衣服の組み合わせを変えることでファッション性を確保することを特徴とした介護用衣服
【考案の詳細な説明】
【技術分野】
【０００１】本考案は、上着とズボンをひもで連結した脱衣行為に対処できる衣服である。
【背景技術】
【０００２】着衣した状態の不快感から服を脱ぎ、裸になってしまう知的障害者に対して、ツナギ状の服を着てもらうことが従来、福祉施設において慣習的に行われていた。
【考案の開示】
【考案が解決しようとする課題】
【０００３】ツナギ状の服は簡単に脱げる心配はないが、夏季は暑く、不快であり、ファッション性に欠ける。またトイレでの排泄に時間・手間がかかり不便である。
【課題を解決するための手段】
【０００４】本考案は、上着・ズボンに各４本のひもを縫い付け、上下をひもで結ぶことで脱衣を防止した。
【考案の効果】
【０００５】上述のように、本考案の衣服は衣服にひもを縫いつけたものなので季節に応じた素材・形態が選択できる。
また、ひもをほどくことで排泄が容易である。
【考案を実施するための最良の形態】
【０００６】▲１▼上着の前後左右、計４箇所にひもを縫い付けている。
▲２▼男性の排尿時には、前部のひもをほどくことで動作可能。
▲３▼排便時には、後部のひもをほどくことで動作可能。
▲４▼ひもそのものを他の服に付け直すことが容易にできる。
【実施例】
【０００７】以下、添付図面に従って一実施例を説明する。
記号ＡＢＣＤは、上着下端に取り付けたひもを示す。
記号ａｂｃｄは、ズボン上端に取り付けたひもを示す。
Ａとａ、Ｂとｂ、Ｃとｃ、Ｄとｄをそれぞれ結ぶことで脱衣行為を防止する。
Ａとａは前部のひもであり、ほどくことで排尿できる。
Ｂとｂは後部のひもであり、ほどくことで排便できる。
Ｃとｃは右横部、Ｄとｄは左横部のひもであり、排泄動作をよりスムーズにしたい時ほどくことで動作を円滑化できる。【０００８】記号▲１▼は上着、記号▲２▼はズボンを示す。
ひもを▲１▼・▲２▼以外の衣類に付け替えることでＴＰＯに合った服装ができる。
【図１】
0003183861.tif 000003
【手続補正書】
【提出日】平成25年4月5日(2013.4.5)
【手続補正２】
【補正対象書類名】明細書
【補正対象項目名】全文
【補正方法】変更
【補正の内容】
【考案の詳細な説明】
【技術分野】
【０００１】本考案は、上着とズボンをひもで連結した脱衣行為に対処できる衣服である。
【背景技術】
【０００２】着衣した状態の不快感から服を脱ぎ、裸になってしまう知的障害者に対して、ツナギ状の服を着てもらうことが従来、福祉施設において慣習的に行われていた。
【考案の開示】
【考案が解決しようとする課題】
【０００３】ツナギ状の服は簡単に脱げる心配はないが、夏季は暑く、不快であり、ファッション性に欠ける。またトイレでの排泄に時間・手間がかかり不便である。
【課題を解決するための手段】
【０００４】本考案は、上着・ズボンに各４本のひもを縫い付け、上下をひもで結ぶことで脱衣を防止した。
【考案の効果】
【０００５】上述のように、本考案の衣服は衣服にひもを縫いつけたものなので季節に応じた素材・形態が選択できる。
また、ひもをほどくことで排泄が容易である。
【考案を実施するための最良の形態】
【０００６】（１）上着の前後左右、計４箇所にひもを縫い付けている。
（２）男性の排尿時には、前部のひもをほどくことで動作可能。
（３）排便時には、後部のひもをほどくことで動作可能。
（４）ひもそのものを他の服に付け直すことが容易にできる。
【実施例】
【０００７】以下、添付図面に従って一実施例を説明する。
記号ＡＢＣＤは、上着下端に取り付けたひもを示す。
記号ａｂｃｄは、ズボン上端に取り付けたひもを示す。
Ａとａ、Ｂとｂ、Ｃとｃ、Ｄとｄをそれぞれ結ぶことで脱衣行為を防止する。
Ａとａは前部のひもであり、ほどくことで排尿できる。
Ｂとｂは後部のひもであり、ほどくことで排便できる。
Ｃとｃは右横部、Ｄとｄは左横部のひもであり、排泄動作をよりスムーズにしたい時ほどくことで動作を円滑化できる。【０００８】記号（１）は上着、記号（２）はズボンを示す。
ひもを（１）・（２）以外の衣類に付け替えることでＴＰＯに合った服装ができる。
【図面の簡単な説明】
【０００９】
【図１】本考案の一実施状況を示す正面図である。
(57)【要約】【課題】本考案は、豊富で面白味のある視覚効果を備えるとともに、永続的に消えることがない照明効果をもつ、透光性を有するデザインロウソク構造を提供する。【解決手段】座体と、発光ユニットと、ケースとからなる。前記座体の一側には電源部が設けられ、前記電源部は、電池に連結されて電源が生じる。発光ユニットは、前記座体上部に設けられるとともに、前記座体の電源部と電気的に接続される。ケースは、透光性を有するとともに且つ開口を備え、前記ケースの壁面は裝飾層を備え、前記ケースは、前記座体外縁に被せられる。また、前記ケース上部には、照明カバーが設けられる。【選択図】図２
0003183814.tif 000002
【実用新案登録請求の範囲】
【請求項１】
座体と、発光ユニットと、ケースとからなる、透光性を有するデザインロウソク構造であって、
前記座体の一側には電源部が設けられ、
前記電源部は、電池と連結されて電源を生じ、
発光ユニットは、前記座体上部に設けられるとともに、前記座体の電源部と電気的に接続され、
ケースは、透光性を有するとともに且つ開口を備え、前記ケースの壁面はデザイン装飾層を備え、前記ケースは、前記座体の外縁に被せられることを特徴とする、透光性を有するデザインロウソク構造。
【請求項２】
前記発光ユニットは、少なくとも一つの発光素子に電気的に接続される回路板を備え、前記回路板は、前記電源部と電気的に接続されることを特徴とする、請求項１に記載の透光性を有するデザインロウソク構造。
【請求項３】
前記ケース上部には穿孔が設けられ、前記穿孔には、照明カバーが収容されることを特徴とする、請求項１に記載の透光性を有するデザインロウソク構造。
【請求項４】
前記座体には、スイッチが設けられ、前記スイッチの一端は、前記電源部に連結され、他端は、前記発光ユニットに連結され、前記スイッチは、前記発光素子の明滅を制御することを特徴とする、請求項１に記載の透光性を有するデザインロウソク構造。
【請求項５】
前記デザイン装飾層は、透光性を有する片体であり、前記片体は、前記ケースの内壁面に貼り付けられることを特徴とする、請求項１に記載の透光性を有するデザインロウソク構造。
【考案の詳細な説明】
【技術分野】
【０００１】
本考案はロウソク構造に関し、特に電子式ロウソクに関する。
【背景技術】
【０００２】
ロウソクは、古くからある照明用品であり、各種照明器具が発明された後は、雰囲気づくり、お祝い、祭事式典などに多く使われている。しかし、これらのロウソクは、ほとんどが柱状であり、外観の変化に乏しい。また、一般のロウソクは燃やした後、周囲の気流の移動により、炎がゆれてしまい、風が強いときには、火が消えてしまう。さらには、ロウソク自体が倒れて、それと一緒にロウソクのロウがたれることもある。この時、もし、周囲に燃えやすいものがあった場合は、想像できないような事故も発生する可能性がある。このように、ロウソクの設計には、上述のような問題があり、改善が待たれている。
【考案の概要】
【考案が解決しようとする課題】
【０００３】
そこで、本考案は、豊富で面白味のある視覚効果を備えるとともに、永続的に消えることがない照明効果をもつ、透光性を有するデザインロウソク構造を提供することを目的とする。
【課題を解決するための手段】
【０００４】
本考案による透光性を有するデザインロウソク構造は、主に、座体と、発光ユニットと、ケースとからなる。前記座体の一側には電源部が設けられ、前記電源部は、電池に連結されて電源が生じる。発光ユニットは、前記座体上部に設けられるとともに、前記座体の電源部と電気的に接続される。ケースは、透光性を有するとともに且つ開口を備え、前記ケースの壁面は裝飾層を備え、前記ケースは、前記座体外縁に被せられる。
【考案の効果】
【０００５】
本考案は、発光素子を利用して前記デザイン装飾層に照射することにより、前記ケースから光が射出され、装飾作用をもつ環境光を作り出すことができる。それにより、豊富で面白味のある視覚効果と、永続的に消えることがない照明效果を得ることができる。
【図面の簡単な説明】
【０００６】
【図１】本考案の斜視図である。
【図２】本考案の分解斜視図である。
【図３】本考案の断面図である。
【図４】本考案を下方から示した斜視図である。
【考案を実施するための形態】
【０００７】
図１から図３を参照する。図１から図３は、本考案による透光性を有するデザインロウソク構造である。本考案は、座体１と、発光ユニット２と、ケース３とからなる。座体１の一側に、電源部１１が設けられ、電源部１１は、電池と連結されて電源が生じる。座体１上部には、固定溝１２が設けられ、底蓋１３が座体１底部に結合される。発光ユニット２は、固定溝１２に差し込まれる回路板２１を備え、回路板２１は電源部１１に電気的に接続され、回路板２１は、少なくとも一つの発光素子２２に電気的に接続される。ケース３は、透光性を有するとともに且つ開口３１を備え、ケース３の開口３１は座体１外縁に被せられ、ケース３の壁面は、デザイン装飾層３２を備える。
【０００８】
図４も併せて参照する。本実施例において、座体１には、さらに、スイッチ１４が設けられる。スイッチ１４の一端は、電源部１１に連結され、他端は、回路板２１に連結される。なお、スイッチ１４は、発光素子２２の明滅を制御するために用いられる。ケース３上部には穿孔３３が設けられ、回路板２１には、二つの発光素子２２が間隔を空けて電気的に接続される。その内の一つの発光素子２２は、回路板２１頂部に設けられるとともに、その一部が穿孔３３から露出する。また、穿孔３３には、照明カバー４が収容される。照明カバー４は、中空のロウソクの炎の形状を呈しており、本実施例において、二つの発光素子２２は、カラーのＬＥＤランプであり、回路板２１によって、ＬＥＤランプの色の順序を制御することができる。また、デザイン装飾層３２は、透光片体であり、片体は、ケース３の内壁面に貼り付けられ、二つの発光素子２２を利用してデザイン装飾層３２に照射することにより、ケース３から光が射出し、装飾作用をもつ環境光を作り出すことができる。
【０００９】
また、デザイン装飾層３２は、ケース３の内壁面に、真空めっきで内層をめっきした後、さらにレーザー彫刻で加工して必要なデザインに仕上げ、デザイン装飾層３２を形成させることができる。本考案は、従来のロウソクにとって代わることができ、様々な製作方法を用いて、デザイン装飾層３２を多様化させることで、豊富で面白味のある視覚効果が生じるとともに、永続的に消えることがない照明效果を得ることができる。
【符号の説明】
【００１０】
１      座体
１１    電源部
１２    固定溝
１３    底蓋  
１４    スイッチ
２      発光ユニット
２１    回路板
２２    発光素子
３      ケース
３１    開口
３２    デザイン装飾層
３３    穿孔
４      照明カバー
【図１】
0003183814.tif 000003
【図２】
0003183814.tif 000004
【図３】
0003183814.tif 000005
【図４】
0003183814.tif 000006
(57)【要約】      （修正有）【課題】優れた放熱効果を持つとともに、耐用年数が長く、しかも人的コストが低く且つ施工の時間が短い、照明器具の放熱構造を提供する。【解決手段】基部と、複数の放熱フィンとからなる。前記基部の周囲には、複数の前記放熱フィンが並列配列して固設される。それぞれの前記放熱フィンの一側面には、少なくとも一つの接合部が分割して設けられる。前記接合部が前記基部と相互に溶接固設されることによって、発生した熱量が、前記基部から前記接合部へと伝わって前記放熱フィンから発散する。前記放熱フィンが前記基部と溶接固設されることによって、従来技術による組み立てに比べ優れた放熱効果を持つ。また、優れた放熱効果によって、ＬＥＤ発光素子の耐用年数を延長する。同時に、機器による溶接によって、人的コストの低下と施工の時間短縮と簡易さという優位性を持つことができる。【選択図】図１
0003183816.tif 000002
【実用新案登録請求の範囲】
【請求項１】
基部と、複数の放熱フィンと、からなる照明器具の放熱構造であって、
複数の前記放熱フィンは、並行して配列するとともに、それぞれの一側面に少なくとも一つの接合部が設けられ、
前記接合部は、前記基部と相互に溶接固設されることを特徴とする、照明器具の放熱構造。
【請求項２】
前記基部は、高伝熱金属であるとともに、その一面に少なくとも一つのＬＥＤ基板が設けられ、
前記ＬＥＤ基板には、少なくとも一つのＬＥＤ発光素子が設けられ、
前記溶接固設は、スポット溶接、あるいは、高周波溶接のいずれか一つであることを特徴とする、請求項１に記載の照明器具の放熱構造。
【考案の詳細な説明】
【技術分野】
【０００１】
本考案は、照明器具の放熱構造に関し、特に、高い放熱効果を持ちＬＥＤ発光素子の耐用年数を効果的に延長することができるとともに、コストが低く施工が簡易である、照明器具の放熱構造に関する。
【背景技術】
【０００２】
ＬＥＤは、簡単に言えばダイオード発光素子である。ＬＥＤを使用した照明器具は、省エネ、省電、耐用年数が長いといった長所を持つため、徐々に従来の照明器具（例えば、ハロゲン電球）に取って代わりつつある。しかし、高パワーのＬＥＤは作動時に熱量を放出して、温度が上昇すると同時に、ＬＥＤの仕事効率と耐用年数に影響する。よって、ＬＥＤの仕事効率の上昇と耐用年数の延長のため、現在の全てのＬＥＤ照明は、放熱部品を備えることにより、ＬＥＤの作業温度を低下させている。現在のＬＥＤ照明器具に用いられている放熱部品は、ダイカスト放熱部品、あるいはアルミ押し出し型放熱部品のいずれかである。ダイカスト放熱部品、あるいはアルミ押し出し型放熱部品のどちらであっても、人的、あるいは部品組み立てによって成型しなければならず、組み立ての時に放熱器と基部の間にいくらかの隙間が生じ得る。よって、最良の放熱効果が得られず、しかも、組み立てコストが高い、製作時間が長いといった問題点がある。
【考案の概要】
【考案が解決しようとする課題】
【０００３】
本考案は、放熱フィンが基部と溶接固設されることによって、従来技術による組み立てに比べ優れた放熱効果を持つとともに、優れた放熱効果によって、ＬＥＤ発光素子の耐用年数を延長すると同時に、機器による溶接によって、人的コストの低下と施工の時間短縮と簡易さという優位性を持たせることができる、照明器具の放熱構造を提供することを目的とする。
【課題を解決するための手段】
【０００４】
上述の目的を達成するため、本考案の照明器具の放熱構造は、基部と、複数の放熱フィンとからなる。前記放熱フィンの一側面には、少なくとも一つの接合部が分割して設けられるとともに、前記接合部が前記基部と相互に溶接固設されることにより、発生した熱量が、前記基部から前記接合部へと伝わって前記放熱フィンから発散する。以上の技術により、本考案は、従来の放熱技術における放熱効果の悪さ、組み立てコストの高さ、製作時間の長さといった問題点を解消し、実用上の進歩性を達成する。
【図面の簡単な説明】
【０００５】
【図１】本考案の実施例の斜視図である。
【図２】本考案の実施例の断面図である。
【図３】本考案の実施例における溶接組み立ての概略図である。
【図４】本考案の実施例における熱伝導の概略図である。
【考案を実施するための形態】
【０００６】
図１、図２を参照する。図はそれぞれ、本考案の実施例の斜視図、断面図である。図に示すように、本考案は、基部１と、複数の放熱フィン３とからなる。基部１は、高伝熱金属であるとともに、一面に少なくとも一つのＬＥＤ基板２が設けられる。ＬＥＤ基板２には、少なくとも一つのＬＥＤ発光素子２１が設けられる。複数の放熱フィン３は、並行して配列するとともに、それぞれの一側面に少なくとも一つの接合部３１が設けられる。接合部３１は、溶接固設によって基部１と相互に接続される。前記溶接固設は、スポット溶接、あるいは、高周波溶接のいずれか一つである。
【０００７】
上述の構造と組み合わせの設計に基づき、本考案の使用時の状況を説明する。図１〜図４を合わせて参照する。図はそれぞれ、本考案の実施例の斜視図、断面図、溶接組み立ての概略図、熱伝導の概略図である。図から分かるように、作業の手順としては、まずは基部１を持ち、次に、放熱フィン３の接合部３１を基部１に対して正面を向くように対応させ、さらに、接合部３１を基部１の一面に当接させ、最後に、相互に溶接にて固定する。以上により、照明器具が通電し動作を開始した時、ＬＥＤ発光素子２１とＬＥＤ基板２は、使用時間の長さに従って、高い熱量４を発散する。熱量４は、基部１から放熱フィン３の接合部３１へと伝わって放熱フィン３から発散する。接合部３１は、溶接固設によって基部１と相互に固定されているため、熱伝動効率が効果的に上昇する。
【０００８】
全ての図を参照する。本考案は使用時に従来技術と比較して以下の長所がある。
１、放熱フィン３が基部１と溶接固設されることによって、従来技術による組み立てに比べ優れた放熱効果を持つ。また、優れた放熱効果によって、ＬＥＤ発光素子２１の耐用年数を延長する。
２、機器による溶接によって、人的コストの低下と施工の時間短縮と簡易さという優位性を持つことができる。
【符号の説明】
【０００９】
１            基部
２            ＬＥＤ基板
２１   ＬＥＤ発光素子
３            放熱フィン
３１   接合部
４            熱量
【図１】
0003183816.tif 000003
【図２】
0003183816.tif 000004
【図３】
0003183816.tif 000005
【図４】
0003183816.tif 000006
(57)【要約】【課題】保護管内の加熱素子の排ガスによる浸食の防止可能な構造を有する加熱器を提供する。【解決手段】加熱器の構造は、加熱素子１０と、加熱素子１０の外縁を覆う保護管１１とを備える。加熱素子１０は、保護管１１の２つの開口端から露出された接線端１３を有する。保護管１１の開口端の両側は、固定部材１２により固定封止される。保護管１１両側の開口端には、気密層１４が形成される。気密層１４は、シリコーンゲル又はセラミック密封ゲルからなる。気密層１４の内端には、断熱層１５が形成される。【選択図】図２
0003183899.tif 000002
【実用新案登録請求の範囲】
【請求項１】
加熱素子と、前記加熱素子の外縁を覆う保護管とを備えた構造を有する加熱器であって、
前記加熱素子は、前記保護管の２つの開口端から露出された接線端を有し、
前記保護管の前記開口端の両側は、固定部材により固定封止され、
前記保護管両側の前記開口端には、気密層が形成されることを特徴とする加熱器。
【請求項２】
前記気密層は、シリコーンゲルからなることを特徴とする請求項１に記載の加熱器。
【請求項３】
前記気密層は、セラミック密封ゲルからなることを特徴とする請求項１に記載の加熱器。
【請求項４】
前記気密層の内端には、断熱層が形成されることを特徴とする請求項１に記載の加熱器。
【考案の詳細な説明】
【技術分野】
【０００１】
本考案は、加熱器に関するものであり、更に詳しくは、空気加熱炉又は排ガス処理装置の加熱装置に適用し、加熱素子の浸食又は反応の影響の防止可能な構造の加熱器に関するものである。
【背景技術】
【０００２】
図１に示すように、従来の加熱器は、主に電熱素子Ａと、電熱素子Ａの外縁を覆う保護管Ｂ（保護管には石英管又はセラミック管が採用されることが一般的である。）とを含む。前述の加熱素子Ａは、保護管Ｂの２つの開口端から露出されるとともに、接線端Ｄが形成される。保護管Ｂの開口端の両側は、固定部材Ｃにより固定され、全体構造が封止される。従来の加熱器は、家電製品及び、加熱する必要がある機械分野において広く使用される。
【０００３】
しかし、この種の構造の加熱器は、雰囲気炉又は排ガス処理装置の加熱に応用する際、保護管の両側にガス封止構造が取り付けられていないため、大気雰囲気下のガス又は排ガス処理装置のガスが保護管の両側から保護管内に浸透し、保護管内の加熱素子が浸食により損壊したり、不適切な反応により悪影響を受けたりする欠点があった。
【０００４】
排ガスの加熱手段として、例えば、特開２０１２−２５０１５４号公報（以下、「特許文献１」という。）には、排煙脱硫装置において、排ガス再加熱装置の上流に、排ガスを加熱し、該排ガス中のミストを除去する可洗式排ガス加熱ユニットが記載されている。しかし、特許文献１には、加熱素子の排ガスによる腐食防止の対策には具体的な開示がない。
【特許文献１】特開２０１２−２５０１５４号公報
【考案の概要】
【考案が解決しようとする課題】
【０００５】
従って、本考案の課題は、加熱素子と加熱素子の外縁を覆う保護管とからなる加熱器において、排ガス処理装置等のガスとの接触により生ずる加熱素子の腐食又は反応を防止可能な構造を有する加熱器を提供することにある。
【課題を解決するための手段】
【０００６】
そこで、本考案者は、上記課題を解決するために鋭意検討を重ねた結果、保護管の開口部の両端に気密層を形成させることにより、保護管を気密状態とすることができ、加熱素子の腐食等を防止することができる点に着目し、本考案に想到した。
【０００７】
すなわち、本考案の目的は、雰囲気炉又は排ガス処理装置の加熱装置に適用し、加熱素子と、加熱素子の外縁を覆う保護管とを含む加熱器であって、前述の加熱素子は、保護管の２つの開口端から露出されて接線端が形成され、保護管の開口端の両側は、固定部材によって固定封止され、保護管両側の開口端に形成された気密層により、保護管を気密状態にし、保護管内の加熱素子が浸食により損壊したり、悪影響を受けることを防止可能な加熱器構造を提供するものである。
【０００８】
かくして、本考案によれば、加熱素子と、前記加熱素子の外縁を覆う保護管とを備えた構造を有する加熱器であって、
前記加熱素子は、前記保護管の２つの開口端から露出された接線端を有し、前記保護管の前記開口端の両側は、固定部材により固定封止され、前記保護管両側の前記開口端には、気密層が形成されることを特徴とする加熱器が提供される。
【０００９】
前記気密層は、シリコーンゲルからなることが好ましい。
【００１０】
前記気密層は、セラミック密封ゲルからなることが好ましい。
【００１１】
前記気密層の内端には、断熱層が形成されることが好ましい。
【考案の効果】
【００１２】
本考案の構成は、上記の通りのものであり、加熱素子が排ガス等との接触により生ずる腐食が防止されるので、加熱器の操作が容易になると共に耐用期間を著しく長期化することができる。
【図面の簡単な説明】
【００１３】
【図１】図１は、従来の加熱器を示す断面図である。
【図２】図２は、本考案の一実施形態に係る加熱器を示す断面図である。
【考案を実施するための形態】
【００１４】
以下、本考案の一実施形態による加熱器について図面に基づいて説明する。なお、これによって本考案が限定されるものではない。
図２を参照する。図２に示すように、本考案の一実施形態に係る加熱器の構造は、雰囲気炉又は排ガス処理装置の加熱装置に適用し、加熱素子（例えば電熱線）１０と、加熱素子１０の外縁を覆う保護管１１（保護管１１には、石英管が採用されることが一般的である）と、を含む。前述の加熱素子１０は、保護管１１の２つの開口端から露出された接線端１３を有する。保護管１１の開口端の両側は、固定部材（例えば、ワッシャー及びナット）１２により固定封止され、保護管１１両側の開口端に設けた気密層１４により、保護管１１を気密状態にする。本実施形態の加熱器は、雰囲気炉又は排ガス処理装置へ応用して加熱を行う際、保護管１１の両側に、気密層１４で構成された気密構造が設けられているため、大気雰囲気下のガス又は排ガス処理装置の排ガスが保護管の両側から保護管１１内へ浸透することがない。そのため保護管１１内の加熱素子１０が浸食により損壊したり、反応により悪影響を受けたりすることを防ぐことができる。
【００１５】
本実施形態に係る加熱器構造の気密層１４は、低温環境においてシリコーンゲル又は高温環境においてセラミック密封ゲルからなることが好ましい。
【００１６】
本実施形態に係る気密層１４の内端には、断熱層１５が形成されることが好ましい。
【００１７】
以上、本考案の好適な実施形態を前述の通り開示したが、これらは決して本考案を限定するものではない。本考案の主旨と領域を逸脱しない範囲内で各種の変更や修正を加えることができる。従って、本考案に係る実用新案登録請求の範囲は、このような変更や修正を含めて広く解釈されるべきである。
【符号の説明】
【００１８】
Ａ  電熱素子
Ｂ  保護管
Ｃ  固定部材
Ｄ  接線端
１０  加熱素子
１１  保護管
１２  固定部材
１３  接線端
１４  気密層
１５  断熱層
【図１】
0003183899.tif 000003
【図２】
0003183899.tif 000004